(57)【要約】【課題】  取付け基台と支持部材との取付け構造の合理的な改造をもって、十分な耐久性を備えたものを構造面、コスト面で有利に製作することができるとともに、長尺体の仮置き作業時における長尺体の脱落を防止しながら長尺体の仮置き作業を少ない労力で迅速、容易に行う。【解決手段】  長尺体Ｃを受止め可能な受け部１Ａを有する支持部材１の基端部に、固定部に取付けられる取付け基台３の表面に長尺体荷重で当接される第１取付け部１Ｂと取付け基台３の裏面３ｂに長尺体荷重で当接される第２取付け部１Ｃを形成し、この第１・第２取付け部１Ｂ，１Ｃと取付け基台３とを固定手段４で固定するとともに、支持部材１には、受け部１Ａに受止められた長尺体Ｃを押付け保持する押付け状態と受け部を開放する押付け解除状態とに切換え可能な押え手段５を設けてある。【選択図】        図５
2007298113.tif 000002
【特許請求の範囲】
【請求項１】
長尺体を受止め可能な受け部を有する支持部材の基端部に、固定部に取付けられる取付け基台の表面に長尺体荷重で当接される第１取付け部と取付け基台の裏面に長尺体荷重で当接される第２取付け部を形成し、この第１・第２取付け部と取付け基台とを固定手段で固定するとともに、前記支持部材には、受け部に受止められた長尺体を押付け保持する押付け状態と受け部を開放する押付け解除状態とに切換え可能な押え手段を設けてある長尺体支持具。
【請求項２】
前記押え手段が、前記受け部の基端側部分に対して起伏自在に保持される取付け基部と、受け部に受止められた長尺体を弾性力で押付ける押え部と、受け部の先端側部分に形成された被係止部に対して係脱自在で、かつ、係合状態では押え部を弾性復元力に抗して押付け状態に保持する係合操作部から構成されている請求項１記載の長尺体支持具。
【請求項３】
前記支持部材の第２取付け部が、取付け基台に形成された貫通孔又は切欠き部を通して裏面の上方側に当接し、前記第１取付け部が取付け基台の表面における前記貫通孔又は切欠き部の下方側に当接するように構成されている請求項１又は請求項２記載の長尺体支持具。
【請求項４】
前記押え手段の取付け基部と押え部及び係合操作部が弾性線材の折り曲げにより一体形成されている請求項２記載の長尺体支持具。
【請求項５】
前記被係止部が、受け部の先端側部分において押え手段の係合操作部を起伏操作方向に対して交差する方向から係合自在な係止凹部から構成されているとともに、前記係止凹部の係止位置には、押え手段の係合操作部が弾性復元力で入り込む戻り止め凹部が形成されている請求項２又は４記載の長尺体支持具。
【請求項６】
前記支持部材の受け部及び押え手段に対向する長尺体の設定支持位置には弾性シートが巻回されている請求項１〜５のいずれか１項に記載の長尺体支持具。
【発明の詳細な説明】
【技術分野】
【０００１】
本発明は、例えば、鉄道や道路のトンネル内壁や防音壁等の固定部に沿って電力・通信用のケーブルや配管などの長尺体を架設するための長尺体支持具に関する。
【背景技術】
【０００２】
従来の長尺体支持具、例えば、特許文献１に示すケーブル支持具では、壁面等の固定部にアンカーボルト等で固定される帯板状の取付け基台に、ケーブルの周長より長い弾性の帯板状で、かつ、その中央部がケーブルを抱持可能に略Ｕ字状に湾曲形成されている帯状支持板の一端部を、雌ネジを有する鳩目状の止め金具で固着するとともに、前記帯状支持板の他端部に設けたナットに螺合装着されているボルトを止め金具の雌ネジに螺合することにより、前記帯状支持板の両端部間を通して受止められているケーブルを締付け固定するように構成されている。
【０００３】
また、特許文献２に示すケーブル支持具では、壁面等の固定部にアンカーボルト等で固定される帯板状の取付け基台と、ケーブルの周長より長い弾性の帯板状で、かつ、その中央部がケーブルを抱持可能に略Ｕ字状に湾曲形成されている帯状支持板と、この帯状支持板の両端部を取付け基台に締付け固定するボルト・ナットとを備え、前記取付け基台には、帯状支持板の両端部に仮止め保持されたボルトの頭部の抜き差しを許容する大径孔部とボルト頭部に連続する角軸部の移入を許容する小径孔部とが連通する鍵穴状の取付け孔を貫通形成するとともに、前記帯状支持板の両端部にはボルトの挿通孔を形成していた。
そして、ケーブルに外装された帯状支持板の両端部の挿通孔にボルト・ナットを緩み状態で装着し、この状態でボルトの頭部を取付け基台の取付け孔の大径孔部に挿通させたのち、ボルトの角軸部を取付け孔の小径孔部に回り止め状態で落とし込むことにより、ケーブルに外装された帯状支持板の両端部を取付け基台に仮止めするように構成している。
【０００４】
【特許文献１】特開２００４−１４０９８４号公報
【特許文献２】特開２００３−０５２１１５号公報
【発明の開示】
【発明が解決しようとする課題】
【０００５】
前者のケーブル支持具では、取付け基台と帯状支持板の一端部とを固着している鳩目状の止め金具にケーブルの荷重や振動が集中するため、止め金具としても強度の大きな頑丈なものが必要となる。しかも、前記帯状支持板の他端部は取付け基台に固着された一端部に対して先端広がりの傾斜姿勢に構成されているものの、この他端部にはナットやボルトの先端が突出するばかりでなく、帯状支持板の両端部の対向間隔が狭く、更に、帯状支持板自体もケーブルを仮置き保持できるだけの剛性が必要であるため、ケーブル布設時におけるケーブルの仮置き作業に手間取り易い。
【０００６】
また、後者のケーブル支持具では、取付け基台と帯状支持板の両端部とを固着しているボルト・ナットに荷重や振動が集中するため、ボルト・ナットとしても強度の大きな頑丈なものが必要となる。しかも、ケーブルの仮置き作業時には、ケーブルに外装された帯状支持板の両端部の挿通孔にボルト・ナットを緩み状態で装着し、この状態でボルトの頭部をケーブルと共に取付け基台側に移動させて該取付け基台の取付け孔の大径孔部に挿通させたのち、ボルトの角軸部を取付け孔の小径孔部に落とし込んで回り止めしなければならないため、ケーブルの仮置き作業に労力を要するとともに手間取り易い。
【０００７】
本発明は、上述の実状に鑑みて為されたものであって、その主たる課題は、取付け基台と支持部材との取付け構造の合理的な改造をもって、十分な耐久性を備えたものを構造面、コスト面で有利に製作することができるとともに、長尺体の仮置き作業時における長尺体の脱落を防止しながら長尺体の仮置き作業を少ない労力で迅速、容易に行うことのできる長尺体支持具を提供する点にある。
【課題を解決するための手段】
【０００８】
本発明による第１の特徴構成は、長尺体を受止め可能な受け部を有する支持部材の基端部に、固定部に取付けられる取付け基台の表面に長尺体荷重で当接される第１取付け部と取付け基台の裏面に長尺体荷重で当接される第２取付け部を形成し、この第１・第２取付け部と取付け基台とを固定手段で固定するとともに、前記支持部材には、受け部に受止められた長尺体を押付け保持する押付け状態と受け部を開放する押付け解除状態とに切換え可能な押え手段を設けた点にある。
【０００９】
上記特徴構成によれば、前記取付け基台と支持部材とを固定手段で固定する際、支持部材の基端部に形成された第１取付け部が取付け基台の表面に当接し、かつ、支持部材の基端部に形成された第２取付け部が取付け基台の裏面に当接して、支持部材の受け部に受止められた長尺体の荷重を取付け基台の表裏面に圧接状態で分散支持させることができるので、固定手段の要求機械的強度を低くしても高い耐久性を得ることができる。
【００１０】
しかも、前記押え手段を押付け解除状態にすることにより、前記支持部材の受け部を開放して長尺体の脱着を容易に行うことができ、また、支持部材の受け部に長尺体が受止められた状態で押え手段を押付け状態に切換えることにより、長尺体を支持部材の受け部に押付け保持することができるから、長尺体の仮置き作業時に長尺体が脈動しても、支持部材の受け部から長尺体が脱落することを防止することができる。
【００１１】
従って、取付け基台の表裏面を利用した支持部材の基端部の合理的な改造により、十分な耐久性を備えたものを構造面、コスト面で有利に製作することができるとともに、長尺体の仮置き作業時における長尺体の脱落を防止しながら長尺体の仮置き作業を少ない労力で迅速、容易に行うことができる。
【００１２】
本発明による第２の特徴構成は、前記押え手段が、前記受け部の基端側部分に対して起伏自在に保持される取付け基部と、受け部に受止められた長尺体を弾性力で押付ける押え部と、受け部の先端側部分に形成された被係止部に対して係脱自在で、かつ、係合状態では押え部を弾性復元力に抗して押付け状態に保持する係合操作部から構成されている点にある。
【００１３】
上記特徴構成によれば、前記押え手段の取付け基部を受け部の基端側部分に対して起伏操作することにより、当該取付け基部に連続する押え部を、支持部材の受け部に受止められた長尺体を弾性力で押付け保持する押付け状態と受け部を開放する押付け解除状態とに切換えることができるとともに、前記押え部に連続する係合操作部を受け部の先端側部分に形成された被係止部に係合させることにより、押え部を弾性復元力に抗して押付け状態に保持することができる。
【００１４】
本発明による第３の特徴構成は、前記支持部材の第２取付け部が、取付け基台に形成された貫通孔又は切欠き部を通して裏面の上方側に当接し、前記第１取付け部が取付け基台の表面における前記貫通孔又は切欠き部の下方側に当接するように構成されている点にある。
【００１５】
上記特徴構成によれば、前記支持部材の受け部に受止められた長尺体の荷重を取付け基台の表裏面に圧接状態で分散支持させながらも、前記支持部材を取付け基台の幅内に配置することができるので、例えば、支持部材の基端部に形成された第２取付け部を取付け基台の表面側から横外方を通して裏面側に延設する場合に比較して、前記長尺体支持具の小型化を図ることができる。
【００１６】
しかも、仮に、前記固定手段による固定機能が低下又は喪失するような破損が生じても、前記取付け基台の貫通孔又は切欠き部に支持部材の第２取付け部が挿入係合され、かつ、ケーブル荷重によって支持部材の両取付け部が取付け基台の表裏面に圧接されているため、前記支持部材が取付け基台から直ちに脱落することを回避することができる。
【００１７】
本発明による第４の特徴構成は、前記押え手段の取付け基部と押え部及び係合操作部が弾性線材の折り曲げにより一体形成されている点にある。
【００１８】
上記特徴構成によれば、前記支持部材と押え手段とが別体構成であるため、支持部材は長尺体を受止め可能な剛性のある材料で構成しながらも、押え手段は支持部材の受け部に受止められた長尺体を弾性力で押付け保持するのに適した一本の弾性線材で構成することができ、長尺体の仮置き作業時における長尺体の脱落を防止しつつ長尺体の仮置き作業を少ない労力で迅速、容易に行うことができる。
【００１９】
本発明による第５の特徴構成は、前記被係止部が、受け部の先端側部分において押え手段の係合操作部を起伏操作方向に対して交差する方向から係合自在な係止凹部から構成されているとともに、前記係止凹部の係止位置には、押え手段の係合操作部が弾性復元力で入り込む戻り止め凹部が形成されている点にある。
【００２０】
上記特徴構成によれば、前記押え手段の押え部を支持部材の受け部に受止められた長尺体に圧接させた押付け状態において、前記押え部に連続する係合操作部を、受け部の先端側部分に形成された係止凹部に対して起伏操作方向に交差する方向から係合させることにより、押え部を弾性復元力に抗して押付け状態に保持することができるのであるが、このとき、前記係止凹部の係止位置には戻り止め凹部が形成されているため、この戻り止め凹部に押え手段の係合操作部が弾性復元力で入り込むことになり、長尺体が振動しても押え手段の係合操作部が係合解除されることはない。
【００２１】
本発明による第６の特徴構成は、前記支持部材の受け部及び押え手段に対向する長尺体の設定支持位置には弾性シートが巻回されている点にある。
【００２２】
上記特徴構成によれば、長尺体の振動等によって支持部材や押え手段の構成部材が長尺体に食い込むことによる損傷を抑制することができる。
【発明を実施するための最良の形態】
【００２３】
〔第１実施形態〕
図１〜図５は、鉄道や道路のトンネル内壁や防音壁等の固定部Ｗに沿って長尺体の一例である電力・通信用のケーブルＣを架設するケーブル支持具を示し、ケーブルＣを受止め可能な半円弧状の受け部１Ａを屈曲形成してある金属板製の支持部材１の基端部に、固定部Ｗにアンカーボルト２で取付けられる金属板製の取付け基台３の表面３ａにケーブル荷重で当接される第１取付け部１Ｂと、前記取付け基台３の裏面３ｂにケーブル荷重で当接される第２取付け部１Ｃを形成し、この第１・第２取付け部１Ｂ，１Ｃと取付け基台３とを固定手段の一例であるリベット４で固定連結するとともに、前記支持部材１には、受け部１Ａに受止められたケーブルＣを押付け保持する押付け状態と受け部１Ａを開放する押付け解除状態とに切換え可能な押え手段５を設けてある。
【００２４】
前記取付け基台３は、固定部Ｗに沿って当て付けられる上下両端の取付け板部３Ａ，３Ｂと、これらに連続してコの字状に折り曲げ形成された中央の連結板部３Ｃとからなり、上方側の取付け板部３Ａには左右方向に長い取付け孔３ｇが、下方側の取付け板部３Ｂには上下方向に長い取付け孔３ｈがそれぞれ形成されているとともに、前記連結板部３Ｃには、前記リベット４に対する二つの円形の挿通孔３ｄと、前記支持部材１の第２取付け部１Ｃが挿入される矩形状の貫通孔３ｅが形成されている。
【００２５】
前記押え手段５は、前記支持部材１における受け部１Ａの基端側部分に対して起伏自在に外装保持される取付け基部５Ａと、受け部１Ａに受止められたケーブルＣを弾性力で押付ける押え部５Ｂと、受け部１Ａの先端側部分に形成された被係止部１Ｄに対して係脱自在で、かつ、係合状態では押え部５Ｂを弾性復元力に抗して押付け状態に保持する係合操作部５Ｃを備え、かつ、前記取付け基部５Ａと押え部５Ｂと係合操作部５Ｃとを金属製（ステンレス鋼等）の弾性線材の折り曲げにより一体形成してある弾性押え体から構成されている。
【００２６】
前記弾性押え体５の取付け基部５Ａは、支持部材１の先端から受け部１Ａの基端側部分にまで装着移動自在で、かつ、支持部材１の横断面輪郭形状よりも若干大きな寸法で角Ｃ字状に折り曲げ形成され、この取付け基部５Ａの両端に連続する押え部５Ｂは、ケーブルＣの上半周面側に当て付け可能な山形状に折り曲げ形成されているとともに、この両押え部５Ｂに連続する係合操作部５Ｃは、側面視においてＶ字状に折り曲げ形成され、更に、前記両係合操作部５Ｃの端部には、互いに相手側に向かって突出するループ状の摘み５ａが折り曲げ形成されている。
【００２７】
そして、前記弾性押え体５の取付け基部５Ａを受け部１Ａの基端側部分１ａに対して起伏操作することにより、当該取付け基部５Ａに連続する両押え部５Ｂを、支持部材１の受け部１Ａに受止められたケーブルＣを弾性力で押付け保持する押付け状態と受け部１Ａの開口を開放する押付け解除状態とに切換えることができるとともに、前記両押え部５Ｂに連続する係合操作部５Ｃを受け部１Ａの先端側部分に形成された被係止部１Ｄに係合させることにより、両押え部５Ｂを弾性復元力に抗して押付け状態に保持することができる。
【００２８】
また、前記支持部材１と弾性押え体５とが別体構成であるため、支持部材１はケーブルＣを受止め可能な剛性のある材料で構成しながらも、弾性押え体５は支持部材１の受け部１Ａに受止められたケーブルＣを弾性力で押付け保持するのに適した一本の弾性線材で構成することができ、ケーブルＣの仮置き作業時におけるケーブルＣの脱落を防止しつつケーブルＣの仮置き作業を少ない労力で迅速、容易に行うことができる。
【００２９】
前記支持部材１の第１取付け部１Ｂは、取付け基台３の表面３ａにおける前記貫通孔３ｅの下方側に当接し、前記第２取付け部１Ｃは、前記貫通孔３ｅを通して取付け基台３の裏面３ｂにおける前記貫通孔３ｅの上方側に当接し、前記支持部材１の受け部１ＡにケーブルＣを載置したとき、このケーブルＣの荷重が、第１取付け部１Ｂを取付け基台３の表面３ａに圧接させ、かつ、第２取付け部１Ｃを取付け基台３の裏面３ｂに圧接させる方向の付勢力として作用し、その結果、ケーブル荷重を取付け基台３の表裏面３ａ，３ｂに圧接状態で分散支持させることによって、リベット４の要求機械的強度を低くしても高い耐久性を得ることができる。
しかも、仮に、前記リベット４による固定機能が低下又は喪失するような破損が生じても、前記取付け基台３の貫通孔３ｅに支持部材１の第２取付け部１Ｃが挿入係合され、かつ、ケーブル荷重によって支持部材１の両取付け部１Ｂ，１Ｃが取付け基台３の表裏面３ａ，３ｂに圧接されているため、前記支持部材１が取付け基台３の連結板部３Ｃから直ちに脱落することを回避することができる。
【００３０】
また、前記支持部材１の第２取付け部１Ｃを取付け基台３の貫通孔３ｅに挿通させるため、この第２取付け部１Ｃの曲げ位置と第１取付け部１Ｂの曲げ位置とが支持部材１の長手方向で位置齟齬することになり、曲げ部での応力分散化によって耐久性を高めることができる。
【００３１】
前記被係止部１Ｄは、受け部１Ａの先端側部分１ｂの両側縁において弾性押え体５の両係合操作部５Ｃを起伏操作方向に対して交差する水平方向から係合自在な係止凹部から構成されているとともに、前記係止凹部１Ｄの係止位置には、弾性押え体５の両係合操作部５Ｃが弾性復元力で入り込む戻り止め凹部１ｄが形成されている。
【００３２】
そして、前記弾性押え体５の両押え部５Ｂを支持部材１の受け部１Ａに受止められたケーブルＣに圧接させた押付け状態において、前記弾性押え部５Ｂに連続する係合操作部５Ｃを、受け部１Ａの先端側部分１ｂに形成された係止凹部１Ｄに対して起伏操作方向に交差する方向から係合させることにより、押え部５Ｂを弾性復元力に抗して押付け状態に保持することができるのであるが、このとき、前記係止凹部１Ｄの係止位置には戻り止め凹部１ｄが形成されているため、この戻り止め凹部１ｄに弾性押え体５の係合操作部５Ｃが弾性復元力で入り込むことになり、ケーブルＣが振動しても弾性押え体５の係合操作部５Ｃが係合解除されることはない。
【００３３】
前記弾性押え体５の両押え部５Ｂ及び両係合操作部５Ｃの間隔は、前記支持部材１の両係止凹部１Ｄの間隔と略同一又はそれよりも若干狭く構成されているとともに、前記支持部材１の先端部１Ｅの幅方向両側には、両係合操作部５Ｃとの接当によって該両係合操作部５Ｃの間隔を両係止凹部１Ｄに係入可能な間隔まで押し広げる傾斜ガイド１ｅが形成されている。
【００３４】
また、前記支持部材１の第１・第２取付け部１Ｂ，１Ｃには、前記リベット４に対する円形の挿通孔１ｆが形成されているとともに、前記支持部材１の受け部１Ａ及び弾性押え体５に対向するケーブルＣの設定支持位置には難燃性の合成ゴム性の弾性シート６が巻回され、更に、前記支持部材１及び取付け基材３の各表面は難燃性のポリアミド樹脂でコーティング処理が施されている。
【００３５】
更に、前記弾性押え体５は、ケーブルＣの仮置き作業時にケーブルＣが脈動しても、支持部材１の受け部１ＡからケーブルＣが脱落することを防止することを目的として設けられたものであり、支持部材１の受け部１Ａに載置されたケーブルＣを据え付け固定する場合には、別の緊締固定具又は締付け固定具を用いて支持部材１の受け部１ＡとケーブルＣとを固定する。
尚、前記の仮置き固定用の押え手段５を、ケーブルＣを据え付け固定する緊締固定具又は締付け固定具に兼用構成してもよい。
【００３６】
〔第２実施形態〕
図６、図７に示すケーブル支持具は、前記取付け基台３の連結板部３Ｃを、上下方向に二つの支持部材１を取付け可能な長さに構成して、二本のケーブルＣを架設できるようにしたものである。
そのため、前記取付け基台３の連結板部３Ｃには、前記リベット４に対する四つの円形の挿通孔３ｄと、前記支持部材１の第２取付け部１Ｃが挿入される矩形状の二つの貫通孔３ｅが形成されている。
尚、その他の構成は、第１実施形態で説明した構成と同一であるから、同一の構成箇所には、第１実施形態と同一の番号を付記してそれの説明は省略する。
【００３７】
〔第３実施形態〕
図８、図９に示すケーブル支持具は、前記取付け基台３の連結板部３Ｃを、上下方向に三つの支持部材１を取付け可能な長さに構成して、三本のケーブルＣを架設できるようにしたものである。
そのため、前記取付け基台３の連結板部３Ｃには、前記リベット４に対する六つの円形の挿通孔３ｄと、前記支持部材１の第２取付け部１Ｃが挿入される矩形状の三つの貫通孔３ｅが形成されている。
尚、その他の構成は、第１実施形態で説明した構成と同一であるから、同一の構成箇所には、第１実施形態と同一の番号を付記してそれの説明は省略する。
【００３８】
〔第４実施形態〕
上述の各実施形態では、前記取付け基台３の連結板部３Ｃに、前記支持部材１の第２取付け部１Ｃが挿入される貫通孔３ｅを形成したが、図１０に示すように、前記取付け基台３の連結板部３Ｃに、前記支持部材１の第２取付け部１Ｃが挿入される幅方向の外方側に開口する切欠き部３ｅを形成してもよい。
尚、その他の構成は、第１実施形態で説明した構成と同一であるから、同一の構成箇所には、第１実施形態と同一の番号を付記してそれの説明は省略する。
【００３９】
〔第５実施形態〕
上述の各実施形態では、前記支持部材１の基端部に、取付け基台３の表面３ａにケーブル荷重で当接される一つの第１取付け部１Ｂと、前記取付け基台３の裏面３ｂにケーブル荷重で当接される一つの第２取付け部１Ｃを形成したが、図１１に示すように、前記支持部材１の基端部に、取付け基台３の表面３ａにケーブル荷重で当接される二つの第１取付け部１Ｂと、前記取付け基台３の裏面３ｂにケーブル荷重で当接される一つの第２取付け部１Ｃを形成してもよい。
【００４０】
尚、その他の構成は、第１実施形態で説明した構成と同一であるから、同一の構成箇所には、第１実施形態と同一の番号を付記してそれの説明は省略する。
また、第５実施形態の変形例として、前記支持部材１の基端部に、取付け基台３の表面３ａにケーブル荷重で当接される一つの第１取付け部１Ｂと、前記取付け基台３の裏面３ｂにケーブル荷重で当接される二つの第２取付け部１Ｃを形成してもよい。
更に、前記第１取付け部１Ｂと第２取付け部１Ｃとを複数個ずつ形成してもよい。
【００４１】
〔その他の実施形態〕
（１）上述の各実施形態では、前記長尺体支持具として電力・通信用のケーブルＣを架設するケーブル支持具を例に挙げて説明したが、給水管や空調管等の配管を架設する配管支持具にも使用できる。
（２）上述の各実施形態では、前記支持部材１の第１・第２取付け部１Ｂ，１Ｃと取付け基台３とを固定手段の一例であるリベット４で固定連結したが、ボルト・ナットや溶接等の他の固定手段で支持部材１の第１・第２取付け部１Ｂ，１Ｃと取付け基台３とを固定してもよい。
（３）前記押え手段５としては、支持部材１の受け部１Ａに受止められた長尺体Ｃを押付け保持する押付け状態と受け部１Ａを開放する押付け解除状態とに切換え可能であれば如何なる構造のものを採用してもよい。
【図面の簡単な説明】
【００４２】
【図１】本願発明の第１実施形態のケーブル支持具を示す取付け時の断面側面図
【図２】取付け時の平面図
【図３】ケーブル支持具の要部の拡大断面側面図
【図４】ケーブル支持具の斜視図
【図５】ケーブル支持具の分解斜視図
【図６】本願発明の第２実施形態のケーブル支持具を示す斜視図
【図７】ケーブル支持具の分解斜視図
【図８】本願発明の第３実施形態のケーブル支持具を示す斜視図
【図９】ケーブル支持具の分解斜視図
【図１０】本願発明の第４実施形態のケーブル支持具を示す要部の斜視図
【図１１】本願発明の第５実施形態のケーブル支持具を示す要部の斜視図
【符号の説明】
【００４３】
Ｃ        長尺体（ケーブル）
Ｗ        固定部
１        支持部材
１Ａ      受け部
１Ｂ      第１取付け部
１Ｃ      第２取付け部
１Ｄ      被係止部（係止凹部）
１ａ      基端側部分
１ｂ      先端側部分
１ｄ      戻り止め凹部
３        取付け基台
３ａ      表面
３ｂ      裏面
３ｅ      貫通孔
３ｆ      切欠き部
４        固定手段（リベット）
５        押え手段（弾性押え体）
５Ａ      取付け基部
５Ｂ      押え部
５Ｃ      係合操作部
６        弾性シート
【図１】
2007298113.tif 000003
【図２】
2007298113.tif 000004
【図３】
2007298113.tif 000005
【図４】
2007298113.tif 000006
【図５】
2007298113.tif 000007
【図６】
2007298113.tif 000008
【図７】
2007298113.tif 000009
【図８】
2007298113.tif 000010
【図９】
2007298113.tif 000011
【図１０】
2007298113.tif 000012
【図１１】
2007298113.tif 000013